(57)【要約】【課題】偽造が困難であり且つ優れたオバート機能を有した表示体を実現する。【解決手段】表示体１０は、一次元的又は二次元的に配列した複数の第１凹部又は凸部を備えた第１領域ＲＧ１と、第１領域ＲＧ１と隣り合い、平坦であるか又は一次元的若しくは二次元的に配列した複数の第２凹部若しくは凸部を備え、第１領域ＲＧ１と比較して見かけ上の単位面積当りの表面積がより小さい第２領域ＲＧ２とが一方の主面に設けられたレリーフ構造形成層１１０と、第１領域ＲＧ１と第２領域ＲＧ２との双方を被覆した金属又は合金層１２０との積層体１００を具備し、積層体１００のうち第１領域ＲＧ１に対応した部分は、積層体１００のうち第２領域ＲＧ２に対応した部分と比較して光透過率がより大きい。【選択図】      図２
2010271653.tif 000002
【特許請求の範囲】
【請求項１】
一次元的又は二次元的に配列した複数の第１凹部又は凸部を備えた第１領域と、前記第１領域と隣り合い、平坦であるか又は一次元的若しくは二次元的に配列した複数の第２凹部若しくは凸部を備え、前記第１領域と比較して見かけ上の単位面積当りの表面積がより小さい第２領域とが一方の主面に設けられたレリーフ構造形成層と、
前記第１領域と前記第２領域との双方を被覆した金属又は合金層と
の積層体を具備し、
前記積層体のうち前記第１領域に対応した部分は、前記積層体のうち前記第２領域に対応した部分と比較して光透過率がより大きい表示体。
【請求項２】
前記金属又は合金層のうち前記第１領域に対応した部分と、前記金属又は合金層のうち前記第２領域に対応した部分とは、見かけ上の単位面積当りに含まれている前記金属又は合金の量が互いに等しい請求項１に記載の表示体。
【請求項３】
一次元的又は二次元的に配列した複数の第１凹部又は凸部を備えた第１領域と、前記第１領域と隣り合い、平坦であるか又は一次元的若しくは二次元的に配列した複数の第２凹部若しくは凸部を備え、前記第１領域と比較して見かけ上の単位面積当りの表面積がより小さい第２領域とが一方の主面に設けられたレリーフ構造形成層と、
前記第１及び第２領域上に、前記第１及び第２領域の双方が平坦面のみからなると仮定した場合の膜厚が２０ｎｍ乃至１００ｎｍの範囲内となるような量の金属又は合金を堆積させることにより形成される金属又は合金層とを具備した表示体。
【請求項４】
前記複数の第１凹部又は凸部は二次元的に配列し、前記第２領域は平坦であるか又は一次元的に配列した前記複数の第２凹部若しくは凸部を備えた請求項１乃至３の何れか１項に記載の表示体。
【請求項５】
前記複数の第１凹部又は凸部は正方格子状に配列している請求項１乃至４の何れか１項に記載の表示体。
【請求項６】
前記複数の第１凹部又は凸部の最大空間周波数は１５００／ｍｍ乃至４０００／ｍｍの範囲内である請求項５に記載の表示体。
【請求項７】
前記複数の第１凹部又は凸部は矩形格子状に配列している請求項１乃至４の何れか１項に記載の表示体。
【請求項８】
前記複数の第１凹部又は凸部の最大空間周波数は１５００／ｍｍ乃至４０００／ｍｍの範囲内であり、前記最大空間周波数に対応した配列方向に垂直な方向に沿った空間周波数は１０００／ｍｍ以上である請求項７に記載の表示体。
【請求項９】
前記複数の第１凹部又は凸部は規則的に配列し、前記第２領域は規則的に配列した前記複数の第２凹部又は凸部を備え、前記レリーフ構造形成層の前記主面に平行な第１方向に沿った前記複数の第１凹部又は凸部の間隔と前記第１方向に沿った前記複数の第２凹部又は凸部の間隔とは互いに等しく、前記レリーフ構造形成層の前記主面に平行であり且つ前記第１方向に交差した第２方向に沿った前記複数の第１凹部又は凸部の間隔と前記第２方向に沿った前記複数の第２凹部又は凸部の間隔とは互いに異なっている請求項１乃至８の何れか１項に記載の表示体。
【請求項１０】
前記複数の第１凹部又は凸部の空間周波数の少なくとも１つは前記複数の第２凹部又は凸部の空間周波数の少なくとも１つと等しく、前記複数の第１凹部又は凸部の前記空間周波数に対応した配列方向は、前記複数の第２凹部又は凸部の前記空間周波数に対応した配列方向と一致している請求項１乃至９の何れか１項に記載の表示体。
【請求項１１】
前記積層体の主面の少なくとも一方を被覆した１つ又は２つの光散乱層を更に具備した請求項１乃至１０の何れか１項に記載の表示体。
【請求項１２】
請求項１乃至１１の何れか１項に記載の表示体と、前記表示体上に設けられた粘着層とを具備した粘着ラベル。
【請求項１３】
請求項１乃至１１の何れか１項に記載の表示体と、前記表示体を剥離可能に支持した支持体層とを具備した転写箔。
【請求項１４】
請求項１乃至１１の何れか１項に記載の表示体と、前記表示体を支持した物品とを具備した表示体付き物品。
【請求項１５】
前記物品は紙であり、前記表示体は前記紙の内部に埋め込まれている請求項１４に記載の表示体付き物品。
【発明の詳細な説明】
【技術分野】
【０００１】
本発明は、例えば、偽造防止効果、装飾効果及び／又は美的効果を提供する表示技術に関する。
【背景技術】
【０００２】
オバート技術は、一般のユーザが物品への適用を容易に認めることができ且つ顕微鏡等の判別機器を使用することなしに容易に真偽判定をすることができる偽造防止技術である。オバート技術では、ホログラム及び回折格子等の回折構造を利用することがある。
【０００３】
回折構造には、以下の特徴がある。即ち、回折構造は、印刷では再現できない特殊な視覚効果を提供することを可能とする。また、回折構造の製造には電子線描画及びナノインプリント等の特殊な技術が必要であるため、このような回折構造の偽造は困難である。
【０００４】
このように、回折構造はオバート技術にとって有利な特徴を有している。それゆえ、紙幣、証券及びクレジットカード等の物品の多くは、その偽造の防止を目的として、回折構造を含んだ表示体を支持している（例えば、特許文献１参照）。
【０００５】
ところで、近年、回折構造を含んだ表示体を支持させた物品について、偽造品の流通が問題となりつつある。このような偽造品の大半は、これが支持している表示体を、顕微鏡等の判別機器を用いて解析すれば、真正品と判別することが可能である。しかしながら、この場合、回折構造を含んだ表示体の利点であるオバート機能が損なわれてしまう。
【０００６】
また、表示体に、偏光板、ブラックライト及び赤外線カメラ等の他の判別機器を利用した偽造防止技術を更に適用することによっても、偽造品と真正品との判別が可能となり得る。しかしながら、この場合も、偽造品と真正品との判別のために、判別機器が必要となる。
【０００７】
紙幣等の偽造を防止するために利用可能なオバート技術として、紙の密度差による透過率の相違を利用した紙透かし技術がある。この紙透かし技術が適用された紙媒体では、肉眼での観察により、偽造品と真正品との判別を比較的容易に行うことが可能である。即ち、このような紙透かし技術を用いれば、優れたオバート機能を達成し得る。
【０００８】
しかしながら、紙の密度差に基づいた紙透かし技術を適用した紙媒体を日本国内で許可なく製造することは、すき入紙製造取締法によって禁じられている。それゆえ、日本国内においては、このような原理に基づいた紙透かし技術を紙媒体の偽造防止手段として自由に採用することはできない。しかも、日本以外の国の一部では、紙媒体の偽造防止手段として紙の密度差に基づいた紙透かし技術を適用することが一般的となりつつある。それゆえ、上記の紙透かし技術に取って代わり得る新たな偽造防止技術が必要である。
【先行技術文献】
【特許文献】
【０００９】
【特許文献１】特開平７−１９１６０４号公報
【発明の概要】
【発明が解決しようとする課題】
【００１０】
本発明の目的は、偽造が困難であり且つ優れたオバート機能を有した表示体を実現することにある。
【課題を解決するための手段】
【００１１】
本発明の第１側面によると、一次元的又は二次元的に配列した複数の第１凹部又は凸部を備えた第１領域と、前記第１領域と隣り合い、平坦であるか又は一次元的若しくは二次元的に配列した複数の第２凹部若しくは凸部を備え、前記第１領域と比較して見かけ上の単位面積当りの表面積がより小さい第２領域とが一方の主面に設けられたレリーフ構造形成層と、前記第１領域と前記第２領域との双方を被覆した金属又は合金層との積層体を具備し、前記積層体のうち前記第１領域に対応した部分は、前記積層体のうち前記第２領域に対応した部分と比較して光透過率がより大きい表示体が提供される。
【００１２】
本発明の第２側面によると、一次元的又は二次元的に配列した複数の第１凹部又は凸部を備えた第１領域と、前記第１領域と隣り合い、平坦であるか又は一次元的若しくは二次元的に配列した複数の第２凹部若しくは凸部を備え、前記第１領域と比較して見かけ上の単位面積当りの表面積がより小さい第２領域とが一方の主面に設けられたレリーフ構造形成層と、前記第１及び第２領域上に、前記第１及び第２領域の双方が平坦面のみからなると仮定した場合の膜厚が２０ｎｍ乃至１００ｎｍの範囲内となるような量の金属又は合金を堆積させることにより形成される金属又は合金層とを具備した表示体が提供される。
【００１３】
本発明の第３側面によると、第１又は第２側面に係る表示体と、前記表示体上に設けられた粘着層とを具備した粘着ラベルが提供される。
【００１４】
本発明の第４側面によると、第１又は第２側面に係る表示体と、前記表示体を剥離可能に支持した支持体層とを具備した転写箔が提供される。
【００１５】
本発明の第５側面によると、第１又は第２側面に係る表示体と、前記表示体を支持した物品とを具備した表示体付き物品が提供される。
【発明の効果】
【００１６】
本発明によると、偽造が困難であり且つ優れたオバート機能を有した表示体を実現することが可能となる。
【図面の簡単な説明】
【００１７】
【図１】本発明の一態様に係る表示体を概略的に示す平面図。
【図２】図１に示す表示体のＩＩ−ＩＩ線に沿った断面図。
【図３】図１及び図２に示す表示体の界面部に採用可能な構造の一例を示す斜視図。
【図４】図１乃至図３を参照しながら説明した表示体を前面側から照明し且つ前面側から観察した場合に表示される画像の一例を示す平面図。
【図５】図１乃至図３を参照しながら説明した表示体を背面側から照明し且つ前面側から観察した場合に表示される画像の一例を示す平面図。
【図６】一変形例に係る表示体を前面側から照明し且つ前面側から観察した場合に表示される画像の一例を示す平面図。
【図７】図６に示す表示体を前面側から照明し且つ前面側から観察した場合に表示される画像の他の例を示す平面図。
【図８】他の変形例に係る表示体を前面側から照明し且つ前面側から観察した場合に表示される画像の一例を示す平面図
【図９】図８に示す表示体を前面側から照明し且つ前面側から観察した場合に表示される画像の他の例を示す平面図。
【図１０】更なる変形例に係る表示体を概略的に示す平面図。
【図１１】図１０に示す表示体を前面側から照明し且つ前面側から観察した場合に表示される画像の一例を示す平面図。
【図１２】図１０に示す表示体を背面側から照明し且つ前面側から観察した場合に表示される画像の一例を示す平面図。
【図１３】更なる変形例に係る表示体を概略的に示す平面図。
【図１４】図１３に示す表示体のＸＩＶ−ＸＩＶ線に沿った断面図。
【図１５】図１３及び図１４に示す表示体を前面側から照明し且つ前面側から観察した場合に表示される画像の一例を示す平面図。
【図１６】図１３及び図１４に示す表示体を背面側から照明し且つ前面側から観察した場合に表示される画像の一例を示す平面図。
【図１７】本発明の他の態様に係る表示体の一例を示す断面図。
【図１８】本発明の一態様に係る粘着ラベルを概略的に示す断面図。
【図１９】本発明の一態様に係る転写箔を概略的に示す断面図。
【図２０】表示体付き物品の一例を概略的に示す平面図。
【図２１】表示体付き物品の他の例を概略的に示す平面図。
【発明を実施するための形態】
【００１８】
以下、本発明の態様について、図面を参照しながら詳細に説明する。なお、各図において、同様又は類似した機能を発揮する構成要素には同一の参照符号を付し、重複する説明は省略する。
【００１９】
図１は、本発明の一態様に係る表示体を概略的に示す平面図である。図２は、図１に示す表示体のＩＩ−ＩＩ線に沿った断面図である。図３は、図１及び図２に示す表示体の第１領域に採用可能な構造の一例を示す斜視図である。図１乃至図３では、表示体１０の主面に平行であり且つ互いに直交する方向をＸ方向及びＹ方向とし、表示体１０の主面に垂直な方向をＺ方向としている。  
なお、図１では、表示体１０をその前面側から観察した様子を描いている。他方、図３では、表示体１０のうち参照符号ＤＰ１で示す表示部をその背面側から観察した様子を描いている。
【００２０】
この表示体１０は、図２及び図３に示すように、レリーフ構造形成層１１０と金属又は合金層１２０との積層体１００を含んでいる。ここでは、一例として、レリーフ構造形成層１１０側を前面側とし、金属又は合金層１２０側を背面側とするが、レリーフ構造形成層１１０側を背面側とし、金属又は合金層１２０側を前面側としてもよい。
【００２１】
レリーフ構造形成層１１０の金属又は合金層１２０側の主面は、第１領域ＲＧ１と第２領域ＲＧ２と第３領域ＲＧ３とからなる。表示体１０のうち、領域ＲＧ１、ＲＧ２及びＲＧ３に対応した部分は、それぞれ、図１に示す表示部ＤＰ１、ＤＰ２及びＤＰ３である。後述するように、表示部ＤＰ１は、通常、表示部ＤＰ２と比較して、光透過率がより大きい。また、表示部ＤＰ３は、通常、表示部ＤＰ１と比較して、光透過率がより大きい。
【００２２】
第１領域ＲＧ１は、凹構造及び／又は凸構造を備えている。具体的には、第１領域ＲＧ１は、一次元的又は二次元的に配列した複数の第１凹部又は凸部を備えている。ここでは、一例として、第１領域ＲＧ１は、二次元的に配列した複数の第１凹部を備えているとする。
【００２３】
二次元的に配列した第１凹部は、典型的には、先細りしている。例えば、これら第１凹部は、円錐、角錐、円錐台、角錐台、楕円放物面又は回転放物面形状を有している。第１凹部の側壁は、滑らかであってもよく、階段状であってもよい。或いは、第１凹部は、円柱及び角柱状等の柱状であってもよい。ここでは、一例として、第１凹部は回転放物面形状を有しているとする。
【００２４】
第１凹部は、規則的に配列していてもよく、不規則的に配列していてもよい。前者の場合、第１凹部は、典型的には、回折格子及びホログラム等の回折構造を形成している。ここでは、一例として、第１凹部は、Ｘ方向とＹ方向とに沿って正方格子状に配列しており、回折格子を形成しているとする。
【００２５】
第１凹部の最大空間周波数、即ち第１凹部の最小ピッチＰR1の逆数は、例えば１５００／ｍｍ乃至４０００／ｍｍの範囲内とする。この最大空間周波数が過度に小さいと、積層体１００のうち第１領域ＲＧ１に対応した部分の光透過率が過度に小さくなる場合がある。この最大空間周波数が過度に大きいと、第１凹部の形成が困難となる。
【００２６】
なお、第１凹部の先端の位置は、第１凹部の開口の位置と比較してばらつきを生じ易い。従って、第１凹部の空間周波数は、第１凹部の開口が形成している配列に基づいて決定する。
【００２７】
第１凹部のＺ方向の寸法、即ち深さＤR1は、例えば５０ｎｍ乃至５００ｎｍの範囲内にあり、典型的には１００ｎｍ乃至３００ｎｍの範囲内にある。第１凹部の最小ピッチＰR1に対する深さＤR1の比ＤR1／ＰR1は、例えば０．２乃至２．０の範囲内にあり、典型的には０．４乃至１．２の範囲内にある。比ＤR1／ＰR1を小さくすると、積層体１００のうち第１領域ＲＧ１に対応した部分の光透過率が小さくなる。比ＤR1／ＲR1を大きくすると、第１凹部を高い形状精度で形成することが比較的困難となる。
【００２８】
第１領域ＲＧ１の見かけ上の面積Ａ１に対する第１領域ＲＧ１の表面積Ｓ１の比Ｓ１／Ａ１は１より大きく、例えば１．２以上であり、典型的には１．４以上である。この比Ｓ１／Ａ１が過度に小さいと、積層体１００のうち第１領域ＲＧ１に対応した部分の光透過率が過度に小さくなる場合がある。また、この比Ｓ１／Ａ１は、例えば５．０以下とし、典型的には４．０以下とする。この比Ｓ１／Ａ１が過度に大きいと、第１凹部を高い形状精度で形成することが比較的困難となる。
【００２９】
なお、ここでは、領域の「見かけ上の面積」とは、当該領域に平行な平面への当該領域の正射影の面積、即ち、凹構造及び凸構造を無視した当該領域の面積を意味することとする。また、領域の「表面積」とは、凹構造及び凸構造を考慮した当該領域の面積を意味することとする。
【００３０】
第２領域ＲＧ２は、第１領域ＲＧ１と隣り合っている。図１及び図２には、一例として、第２領域ＲＧ２が第１領域ＲＧ１と隣接している場合を描いている。
【００３１】
第２領域ＲＧ２は、平坦であるか又は凹構造及び／又は凸構造を備えている。具体的には、第２領域ＲＧ２は、平坦であるか又は一次元的若しくは二次元的に配列した複数の第２凹部若しくは凸部を備えている。図２には、一例として、第２領域ＲＧ２が平坦面のみからなる場合を描いている。
【００３２】
第２領域ＲＧ２の見かけ上の面積Ａ２に対する表面積Ｓ２の比Ｓ２／Ａ２は、第１領域ＲＧ１の見かけ上の単位面積Ａ１に対する表面積Ｓ１の比Ｓ１／Ａ１と比較してより小さい。例えば、第２領域ＲＧ２が平坦である場合、この比Ｓ２／Ａ２は１に等しい。また、第２領域ＲＧ２が複数の第２凹部又は凸部を備えている場合、この比Ｓ２／Ａ２は、１より大きく且つ比Ｓ１／Ａ１より小さい。
【００３３】
第３領域ＲＧ３は、領域ＲＧ１及びＲＧ２と隣り合っている。図１及び図２には、一例として、第３領域ＲＧ３が第２領域ＲＧ２と隣接していると共に、第２領域ＲＧ２を間に挟んで第１領域ＲＧ１と隣り合っている場合を描いている。
【００３４】
第３領域ＲＧ３は、典型的には、平坦面からなる。第３領域ＲＧ３は、省略してもよい。即ち、レリーフ構造形成層１１０は、一方の主面に領域ＲＧ１及びＲＧ２のみを備えていてもよい。
【００３５】
レリーフ構造形成層１１０と金属又は合金層１２０との積層体１００のうち第１領域ＲＧ１に対応した部分は、光透過性を有している。他方、積層体１００のうち第２領域ＲＧ２に対応した部分は、積層体１００のうち第１領域ＲＧ１に対応した部分と比較して、光透過率がより小さい。典型的には、積層体１００のうち第２領域ＲＧ２に対応した部分は、遮光性である。また、積層体１００のうち第３領域ＲＧ３に対応した部分は、典型的には光透過性を有している。従って、積層体１００を背面側から照明して、これを前面側から観察した場合、これら各部分は、互いから識別することができる。この光学効果については、後で詳しく説明する。
【００３６】
レリーフ構造形成層１１０は、例えば、微細な凸部を設けた金型を樹脂に押し付けることにより形成することができる。この際、これら凸部の形状は、例えば第１凹部の形状に対応した形状とする。レリーフ構造形成層１１０は、例えば、基材上に設けられた熱可塑性樹脂層に、これら凸部が設けられた原版を、熱を印加しながら押し当てる方法により形成される。或いは、レリーフ構造形成層１１０は、基材上に設けられた硬化前の熱硬化性樹脂層に、これら凸部が設けられた原版を押し当てながら熱を印加し、その後、原版を取り除く方法により形成されてもよい。或いは、レリーフ構造形成層１１０は、基材上に紫外線又は電子線硬化樹脂を塗布し、これに原版を押し当てながら基材側から紫外線又は電子線を照射して紫外線又は電子線硬化樹脂を硬化させ、その後、原版を取り除く方法により形成してもよい。
【００３７】
これら原版は、例えば、電子線描画装置を用いて製造する。なお、通常は、原版の凹凸構造を転写して反転版を製造し、この反転版の凹凸構造を転写して複製版を製造する。そして、必要に応じ、複製版を原版として用いて反転版を製造し、この反転版の凹凸構造を転写して複製版を更に製造する。実際の製造では、通常、このようにして得られる複製版を使用する。
【００３８】
レリーフ構造形成層１１０は、典型的には、基材と、この基材上に形成された樹脂層とを含んでいる。基材及び樹脂層の材料としては、光透過性の材料を使用する。これら材料は、例えば透明であり、典型的には無色透明である。
【００３９】
基材としては、例えば、ポリエチレンテレフタレート（ＰＥＴ）、ポリエチレンナフタレート、ポリカーボネート、トリアセチルセルロース、ポリプロピレン、ポリメタクリル酸メチル、アクリルスチレン共重合体又は塩化ビニルのシート又はフィルムを使用する。
【００４０】
樹脂層の材料としては、光透過性樹脂を使用する。例えば、この材料として、ポリカーボネート、酢酸セルロース、酢酸酪酸セルロース、酢酸プロピオン酸セルロース、ニトロセルロース、ポリエチレン、ポリプロピレン、アクリルスチレン共重合体、塩化ビニル、及びポリメタクリル酸メチル等の熱可塑性樹脂を使用する。或いは、この材料として、ポリイミド、ポリアミド、ポリエステルウレタン、アクリルウレタン、エポキシウレタン、シリコーン、エポキシ樹脂、及びメラミン樹脂等の熱硬化性樹脂を使用してもよい。或いは、この材料として、アクリルモノマー、エポキシアクリレート、ウレタンアクリレート及びポリエステルアクリレート等のオリゴマー、並びに、アクリル、エポキシ及びセルロース系樹脂等の反応性ポリマー等の紫外線又は電子線硬化樹脂を使用してもよい。
【００４１】
なお、レリーフ構造形成層１１０の厚みは、例えば５μｍ乃至１０μｍの範囲内とする。
【００４２】
金属又は合金層１２０は、レリーフ構造形成層１１０の領域ＲＧ１乃至ＲＧ３のうち領域ＲＧ１及びＲＧ２のみを被覆している。即ち、金属又は合金層１２０は、領域ＲＧ１及びＲＧ２の双方を被覆しており、第３領域ＲＧ３を被覆していない。
【００４３】
金属又は合金層１２０の材料としては、例えば、アルミニウム、銀、金、白金、ニッケル、鉄、クロム、錫、銅、又はこれらの合金を使用する。典型的には、金属又は合金層１２０の材料として、アルミニウムを使用する。
【００４４】
金属又は合金層１２０のうち第１領域ＲＧ１に対応した部分と、金属又は合金層１２０のうち第２領域ＲＧ２に対応した部分とは、典型的には、見かけ上の単位面積当りに含まれている金属又は合金の量が互いに等しい。また、先に説明した通り、比Ｓ１／Ａ１は、比Ｓ２／Ａ２と比較してより大きい。従って、典型的には、金属又は合金層１２０のうち第１領域ＲＧ１に対応した部分の厚みの平均値は、金属又は合金層１２０のうち第２領域ＲＧ２に対応した部分の厚みの平均値と比較してより小さい。
【００４５】
金属又は合金層１２０は、例えば、領域ＲＧ１及びＲＧ２上に、金属又は合金を堆積させることにより形成される。金属又は合金層１２０の形成は、例えば、以下のようにして行う。即ち、まず、レリーフ構造形成層１１０の領域ＲＧ１乃至ＲＧ３上に、金属又は合金を堆積させる。この堆積は、例えば、蒸着及びスパッタリング等の気相堆積法、又は、無電解めっき等の液相堆積法により行う。次に、この堆積により形成された堆積層のレリーフ構造形成層１１０とは反対側の主面のうち領域ＲＧ１及びＲＧ２に対応した部分の上に、マスク層を形成する。その後、エッチング処理を行って、堆積層のうち領域ＲＧ３に対応した部分を除去する。このようにして、領域ＲＧ１乃至ＲＧ３のうち領域ＲＧ１及びＲＧ２のみを被覆した金属又は合金層１２０を得る。
【００４６】
マスク層の材料としては、例えば、先にレリーフ構造形成層１１０の材料として挙げた樹脂を使用することができる。マスク層は、カップリング剤を更に含んでいてもよい。この場合、マスク層と堆積された金属又は合金との密着性を向上させることができる。このカップリング剤としては、例えば、シラン系、チタン系又はアルミ系のカップリング剤を使用する。なお、マスク層の膜厚は、例えば０．５μｍ乃至５μｍの範囲内とする。
【００４７】
エッチング処理は、典型的には、水酸化ナトリウム溶液、炭酸ナトリウム溶液及び水酸化カリウム溶液等のアルカリ性溶液を用いて行う。或いは、エッチング処理は、塩酸、硝酸、硫酸及び酢酸等の酸性溶液を用いて行ってもよい。
【００４８】
なお、領域ＲＧ１及びＲＧ２上に堆積させる金属又は合金の量は、例えば、以下のようにして定める。即ち、領域ＲＧ１及びＲＧ２の双方が平坦面のみからなると仮定した場合の領域ＲＧ１及びＲＧ２上における膜厚（以下、設定膜厚という）が、例えば２０ｎｍ乃至１００ｎｍの範囲内となり、典型的には３０ｎｍ乃至８０ｎｍの範囲内となるようにする。この設定膜厚が過度に小さいと、積層体１００のうち第２領域ＲＧ２に対応した部分の光透過率が過度に大きくなる場合がある。この設定膜厚が過度に大きいと、積層体１００のうち第１領域ＲＧ１に対応した部分の光透過率が過度に小さくなる場合がある。
【００４９】
この表示体１０は、前面側又は背面側から白色光で照明し、前面側から観察した場合、例えば、以下に説明する画像を表示する。
【００５０】
図４は、図１乃至図３を参照しながら説明した表示体を前面側から照明し且つ前面側から観察した場合に表示される画像の一例を示す平面図である。図５は、図１乃至図３を参照しながら説明した表示体を背面側から照明し且つ前面側から観察した場合に表示される画像の一例を示す平面図である。
【００５１】
この表示体１０では、第１領域ＲＧ１は正方格子状に配列した複数の第１凹部を備えており、これら複数の第１凹部は回折構造を形成している。そして、この第１領域ＲＧ１上には、金属又は合金層１２０が形成されている。従って、表示体１０を前面側から照明して、これを前面側から観察した場合、表示部ＤＰ１は、回折光を知覚可能な条件下では、この回折光に対応した色を表示し、回折光を知覚不可能な条件下では、典型的には黒色又は暗灰色を表示する。
【００５２】
なお、第１凹部の最大空間周波数が大きい場合、例えばこの最大空間周波数が３０００／ｍｍ以上の場合には、第１領域ＲＧ１は前面側に回折光を射出しないか又は第１領域ＲＧ１が前面側に射出する回折光は視感度が低い波長の光のみである。この場合、表示部ＤＰ１は、黒色又は暗灰色を表示する。
【００５３】
この表示体１０では、第２領域ＲＧ２は平坦である。そして、この第２領域ＲＧ２上には、金属又は合金層１２０が形成されている。従って、表示体１０を前面側から照明して、これを前面側から観察した場合、表示部ＤＰ２は、金属光沢を有している部分として、例えば銀白色に見える。
【００５４】
この表示体１０では、第３領域ＲＧ３は平坦である。そして、この第３領域ＲＧ３上には、金属又は合金層１２０が形成されていない。従って、表示体１０を前面側から照明して、これを前面側から観察した場合、表示部ＤＰ３は、レリーフ構造形成層１１０の材料の色又はレリーフ構造形成層１１０の背面側に存在するものの色を表示する。例えば、この場合、表示部ＤＰ３は、白色を表示する。
【００５５】
また、先に述べた通り、積層体１００のうち第２領域ＲＧ２に対応した部分は、積層体１００のうち第１領域ＲＧ１に対応した部分と比較して、光透過率がより小さい。従って、通常、表示部ＤＰ２は、表示部ＤＰ１と比較して光透過率がより小さい。この場合、表示体１０を背面側から照明して、これを前面側から観察すると、表示部ＤＰ１は、表示部ＤＰ２と比較してより明るい色を表示する。例えば、表示体１０を背面側から照明して、これを前面側から観察すると、表示部ＤＰ１は光源色である白色を表示し、表示部ＤＰ２は黒色又は暗灰色を表示する。
【００５６】
また、先に述べた通り、積層体１００のうち第３領域ＲＧ３に対応した部分は、典型的には光透過性である。また、積層体１００のうち第３領域ＲＧ３に対応した部分は、典型的には、積層体１００のうち第１領域ＲＧ１に対応した部分と比較して、光透過率がより大きい。従って、表示部ＤＰ３は、例えば、光源色である白色を、表示部ＤＰ１が表示する白色よりも高い輝度で表示する。
【００５７】
このように、表示体１０は、回折光及び／又は反射光を観察する場合と、透過光を観察する場合とで、互いに異なったコントラストの画像を表示する。このような特殊な視覚効果は、複写機等による複写によっては再現できない。そして、このような視覚効果は、判別機器を用いることなしに容易に知覚することができる。加えて、このような視覚効果を達成可能とする構造を解析すること及びそのような構造を偽造することは、極めて困難である。即ち、この表示体１０は、偽造が困難であり且つ優れたオバート機能を有している。
【００５８】
なお、上では、第１凹部又は凸部が正方格子状に配列し、第２領域ＲＧ２が平坦面からなる場合について説明したが、領域ＲＧ１及びＲＧ２の構成はこれには限られない。
【００５９】
例えば、第１凹部の配列は、正方格子以外の格子を形成していてもよい。例えば、第１凹部の配列は、矩形格子又は三角格子を形成していてもよい。
【００６０】
第１凹部の配列が矩形格子を形成している場合、第１凹部の最大空間周波数は、例えば１５００／ｍｍ乃至４０００／ｍｍの範囲内とする。そして、この最大空間周波数に対応した配列方向に垂直な方向に沿った第１凹部の空間周波数は、例えば１０００／ｍｍ以上とする。これら空間周波数が過度に小さいと、積層体１００のうち第１領域ＲＧ１に対応した部分の光透過率が過度に小さくなる場合がある。これら空間周波数が過度に大きいと、第１凹部の形成が困難となる。
【００６１】
第１領域ＲＧ１は、二次元的に配列した第１凹部の代わりに、複数の第１凹部又は凸部として、一次元的に配列した複数の第１溝を備えていてもよい。これら第１溝は、規則的に配列していてもよく、不規則的に配列していてもよい。前者の場合、第１溝は、典型的には、回折構造を形成している。
【００６２】
第１溝の長さ方向に垂直な断面の形状は、例えば、Ｖ字形状及びＵ字形状等の先細り形状とするか又は矩形状とする。  
第１溝が規則的に配列している場合、第１溝の空間周波数、即ち第１溝のピッチの逆数は、例えば５５００／ｍｍ乃至８０００／ｍｍの範囲内にある。この空間周波数が過度に小さいと、積層体１００のうち第１領域ＲＧ１に対応した部分の光透過率が過度に小さくなる場合がある。この空間周波数が過度に大きいと、第１溝の形成が困難となる。
【００６３】
第１溝のＺ方向の寸法、即ち深さＤG1は、例えば１５０ｎｍ乃至４００ｎｍの範囲内にあり、典型的には２００ｎｍ乃至３００ｎｍの範囲内にある。また、これら第１溝のピッチＰG1に対する深さＤG1の比ＤG1／ＰG1は、例えば０．８乃至３．５の範囲内にあり、典型的には１．０乃至２．０の範囲内にある。
【００６４】
なお、第１領域ＲＧ１では、一次元的に配列した複数の第１凹部又は凸部によって、パールグラム（登録商標）を構成してもよい。即ち、第１領域ＲＧ１は、赤色、緑色及び青色に対応した空間周波数をそれぞれ有する複数の回折格子セルを含み、これら回折格子セルによって加法混色に基づいた種々の色を表示可能であってもよい。
【００６５】
また、第２領域ＲＧ２が一次元的に配列した複数の第２凹部又は凸部を備えている場合、これら凹部又は凸部は、複数の第２溝であってもよい。これら第２溝は、規則的に配列していてもよく、不規則的に配列していてもよい。前者の場合、第２溝は、典型的には、回折構造を形成している。
【００６６】
第２溝の長さ方向に垂直な断面の形状は、例えば、Ｖ字形状及びＵ字形状等の先細り形状とするか又は矩形状とする。
【００６７】
第２溝のＺ方向の寸法、即ち深さＤG2は、例えば５０ｎｍ乃至３００ｎｍの範囲内にあり、典型的には１００ｎｍ乃至２００ｎｍの範囲内にある。また、これら第２溝のピッチＰG2に対する深さＤG2の比ＤG2／ＰG2は、例えば０．０１乃至１．２の範囲内にあり、典型的には０．０５乃至１．０の範囲内にある。
【００６８】
なお、複数の第１凹部又は凸部が一次元的に配列した複数の第１溝のみからなり且つ第２領域ＲＧ２が複数の第２凹部又は凸部として一次元的に配列した複数の第２溝のみを備えている場合、比ＤG2／ＰG2は、典型的には、比ＤG1／ＰG1と比較してより小さくする。
【００６９】
第２領域ＲＧ２が規則的に配列した第２溝を備えており且つ第１凹部又は凸部が規則的に配列している場合、典型的には、レリーフ構造形成層１１０の主面に平行な特定の方向に沿った第２溝の間隔と、この特定の方向に沿った第１凹部又は凸部の間隔とを互いに等しくする。また、この場合、典型的には、レリーフ構造形成層１１０の主面に平行であり且つ上記の特定の方向に交差する方向に沿った第２溝の間隔と、この方向に沿った第１凹部又は凸部の間隔とを互いに異ならしめる。
【００７０】
例えば、この場合、第２溝の空間周波数、即ち第２溝のピッチの逆数は、複数の第１凹部又は凸部の空間周波数の何れかと等しくし、典型的にはそれらの最大空間周波数と等しくする。そして、第２溝の配列方向、即ち第２溝の長さ方向に垂直な方向は、典型的には、複数の第１凹部又は凸部が第２溝と同じ空間周波数で配列している方向と一致させる。例えば、複数の第１凹部又は凸部が矩形格子を形成している場合には、第２溝の空間周波数は、複数の第１凹部又は凸部の２番目に大きな空間周波数に対応した配列方向に沿った空間周波数と等しくしてもよい。この場合、第２溝の配列方向は、典型的には、複数の第１凹部又は凸部の２番目に大きな空間周波数に対応した配列方向と一致させる。
【００７１】
第２領域ＲＧ２が一次元的に配列した複数の第２凹部又は凸部を備えている場合、これら第２凹部又は凸部は、上述したパールグラム（登録商標）を構成していてもよい。
【００７２】
第２領域ＲＧ２が二次元的に配列した複数の第２凹部又は凸部を備えている場合、これら凹部又は凸部は、二次元的に且つ規則的に配列した複数の第２凹部であってもよい。
【００７３】
この場合、第２凹部の最大空間周波数は、例えば１５００／ｍｍ未満とし、典型的には３００／ｍｍ乃至１０００／ｍｍの範囲内とする。この最大空間周波数が過度に大きいと、積層体１００のうち第２領域ＲＧ２に対応した部分の光透過率が過度に大きくなる場合がある。この最大空間周波数が過度に小さいと、表示部ＤＰ２は一次回折光を射出しなくなる。
【００７４】
第２凹部が二次元的に且つ規則的に配列している場合、第２凹部のＺ方向の寸法、即ち深さＤR2は、例えば５０ｎｍ乃至５００ｎｍの範囲内にあり、典型的には１００ｎｍ乃至３００ｎｍの範囲内にある。また、この場合、第２凹部の最小ピッチＰR2に対する深さＤR2の比ＤR2／ＰR2は、例えば０．０２乃至０．５の範囲内にあり、典型的には０．０３乃至０．３の範囲内にある。
【００７５】
なお、複数の第１凹部又は凸部が二次元的に配列した複数の第１凹部のみからなり且つ第２領域ＲＧ２が二次元的に配列した複数の第２凹部のみを備えている場合、比ＤR2／ＰR2は、典型的には、比ＤR1／ＰR1と比較してより小さくする。
【００７６】
第２領域ＲＧ２が二次元的に且つ規則的に配列した複数の第２凹部を備えており且つ第１凹部又は凸部が規則的に配列している場合、例えば、レリーフ構造形成層１１０の主面に平行な特定の方向に沿った第２凹部の間隔と、この特定の方向に沿った第１凹部又は凸部の間隔とを互いに等しくする。また、この場合、典型的には、レリーフ構造形成層１１０の主面に平行であり且つ上記の特定の方向に交差する方向に沿った第２凹部の間隔と、この方向に沿った第１凹部又は凸部の間隔とを互いに異ならしめる。
【００７７】
即ち、この場合、例えば、これら第２凹部の空間周波数の何れかを複数の第１凹部又は凸部の空間周波数の何れかと互いに等しくする。そして、典型的には、第２凹部の上記空間周波数に対応した配列方向を第１凹部の上記空間周波数に対応した配列方向と一致させる。
【００７８】
図６は、一変形例に係る表示体を前面側から照明し且つ前面側から観察した場合に表示される画像の一例を示す平面図である。図７は、図６に示す表示体を前面側から照明し且つ前面側から観察した場合に表示される画像の他の例を示す平面図である。
【００７９】
図６及び図７に示す表示体１０は、第２領域ＲＧ２を平坦面とする代わりに、第２領域ＲＧ２に規則的に配列した第２溝を設けたことを除いては、図１乃至図５を参照しながら説明した表示体と同様の構成を有している。
【００８０】
この表示体１０では、第１凹部の最大空間周波数と第２溝の空間周波数とを互いに等しくしている。また、この表示体１０では、第１凹部の最大空間周波数に対応した配列方向をＸ及びＹ方向とし、第２溝の配列方向をＹ方向としている。即ち、この表示体１０では、第２溝の配列方向を第１凹部の最大空間周波数に対応した配列方向の１つと一致させている。
【００８１】
このように、この表示体１０では、Ｙ方向に沿った第２溝の間隔とＹ方向に沿った第１凹部の間隔とを互いに等しくしている。そして、この表示体１０では、Ｘ方向に沿った第２溝の間隔とＸ方向に沿った第１凹部の間隔とを互いに異ならしめている。
【００８２】
この表示体１０の前面をＸ方向に対して垂直な方向から照明し、これをＸ方向に垂直な方向から観察すると、表示部ＤＰ１は、先に図４及び図５を参照しながら説明した色を表示する。そして、Ｙ方向に沿った第１凹部の空間周波数と第２溝の空間周波数とは互いに等しいため、表示部ＤＰ２は、表示部ＤＰ１と同一又は極めて類似した色を表示する。従って、この観察条件の下では、図６に示すように、表示部ＤＰ１とＤＰ２とを互いから判別することは不可能であるか又は極めて困難である。即ち、この観察条件の下では、表示部ＤＰ１とＤＰ２との対比による画像を視認することは不可能であるか又は極めて困難である。
【００８３】
このように、この表示体１０では、特定の観察条件下において、表示部ＤＰ１とＤＰ２との対比による画像の視認を不可能又は極めて困難とすることができる。それゆえ、この表示体１０では、例えば、文字及び図形等の印刷パターンを設け、観察者がＸ方向に対して垂直な方向から表示体１０を観察するように、この印刷パターンの上下方向をＹ方向に一致させれば、表示体１０を背面側から照明し且つ前面側から観察する際に表示される像の存在を比較的悟られ難くすることができる。
【００８４】
また、この表示体１０の前面をＹ方向に対して垂直な方向から照明し、これをＹ方向に対して垂直な方向から観察すると、表示部ＤＰ１は、先に図４及び図５を参照しながら説明した色を表示する。他方、表示部ＤＰ２は、例えば、表示部ＤＰ２が平坦面からなる場合と同様の色を表示する。従って、この観察条件の下では、表示部ＤＰ１とＤＰ２とを互いから判別することができる。即ち、この観察条件の下では、図７に示すように、表示部ＤＰ１とＤＰ２との対比による画像を視認することが可能である。
【００８５】
これから明らかなように、この表示体１０では、表示体１０を前面側から照明し、これを前面側から観察する際に、照明方向及び観察方向を一定としたまま表示体１０をその法線の周りで９０゜回転させることにより、表示部ＤＰ１とＤＰ２との組み合わせが表示する画像を変化させることができる。
【００８６】
図６及び図７を参照しながら説明した表示体１０は、上記のような追加の視覚効果を有している。それゆえ、この表示体１０は、図１乃至図５を参照しながら説明した表示体と比較して更に優れた偽造防止効果を達成し得る。
【００８７】
図８は、他の変形例に係る表示体を前面側から照明し且つ前面側から観察した場合に表示される画像の一例を示す平面図である。図９は、図８に示す表示体を前面側から照明し且つ前面側から観察した場合に表示される画像の他の例を示す平面図である。
【００８８】
図８及び図９に示す表示体１０は、第１領域ＲＧ１に正方格子状に配列した第１凹部を設ける代わりに、第１領域ＲＧ１に矩形格子状に配列した第１凹部を設けたことを除いては、図６及び図７を参照しながら説明した表示体と同様の構成を有している。
【００８９】
この表示体１０では、一例として、第１凹部の２番目に大きな空間周波数と第２溝の空間周波数とを互いに等しくしている。また、この表示体１０では、一例として、第１凹部の最大空間周波数に対応した配列方向をＸ方向とし、２番目に大きな空間周波数に対応した配列方向をＹ方向とし、第２溝の配列方向をＹ方向としている。即ち、この表示体１０では、第２溝の配列方向を第１凹部の２番目に大きな空間周波数に対応した配列方向と一致させている。
【００９０】
このように、この表示体１０では、Ｙ方向に沿った第２溝の間隔とＹ方向に沿った第１凹部の間隔とを互いに等しくしている。そして、この表示体１０では、Ｘ方向に沿った第２溝の間隔とＸ方向に沿った第１凹部の間隔とを互いに異ならしめている。
【００９１】
この表示体１０の前面側をＸ方向に対して垂直な方向から照明し、これをＸ方向に対して垂直な方向から観察すると、表示部ＤＰ１は、第１凹部の２番目に大きな空間周波数に対応した色を表示する。また、表示部ＤＰ２も、この空間周波数に対応した色を表示する。即ち、この観察条件の下では、図８に示すように、表示部ＤＰ２は、表示部ＤＰ１と同一又は極めて類似した色を表示する。従って、この観察条件の下では、表示部ＤＰ１とＤＰ２との対比による画像を視認することは不可能であるか又は極めて困難である。
【００９２】
このように、この表示体１０では、特定の観察条件下において、表示部ＤＰ１とＤＰ２との対比による画像の視認を不可能又は極めて困難とすることができる。それゆえ、この表示体１０では、例えば、文字及び図形等の印刷パターンを設け、観察者がＸ方向に対して垂直な方向から表示体１０を観察するように、この印刷パターンの上下方向をＹ方向に一致させれば、表示体１０を背面側から照明し且つ前面側から観察する際に表示される像の存在を比較的悟られ難くすることができる。
【００９３】
また、この表示体１０の前面をＹ方向に対して垂直な方向から照明し、これをＹ方向に対して垂直な方向から観察すると、表示部ＤＰ１は、第１凹部の最大空間周波数に対応した色を表示する。そして、表示部ＤＰ２は、例えば、表示部ＤＰ２が平坦面からなる場合と同様の色を表示する。従って、この観察条件の下では、図９に示すように、表示部ＤＰ１とＤＰ２とを互いから判別することができる。即ち、この観察条件の下では、表示部ＤＰ１とＤＰ２との対比による画像を視認することが可能である。加えて、この観察条件の下で表示部ＤＰ１が表示する色は、図８を参照しながら説明した観察条件の下で表示部ＤＰ１が表示する色とは異なっている。
【００９４】
即ち、この表示体１０では、表示体１０を前面側から照明し、これを前面側から観察する際に、照明方向及び観察方向を一定としたまま表示体１０をその法線の周りで９０゜回転させることにより、表示部ＤＰ１とＤＰ２との組み合わせが表示する画像を変化させることができる。加えて、この表示体１０では、上記の回転により、表示部ＤＰ１が表示する色を変化させることができる。
【００９５】
更には、この表示体１０の第１凹部に採用した矩形格子状の配列は、陽極酸化により得られたポーラスアルミナを型として利用する等の簡易な方法により再現することが困難である。即ち、複数の第１凹部又は凸部が矩形格子状に配列した構成を採用すると、表示体１０の偽造がより困難となる。
【００９６】
以上の通り、図８及び図９を参照しながら説明した表示体１０は、上記のような追加の視覚効果を有していると共に、例えば図６及び図７を参照しながら説明した表示体と比較して、その偽造がより困難である。それゆえ、この表示体１０は、特に優れた偽造防止効果を達成し得る。
【００９７】
図１０は、更なる変形例に係る表示体を概略的に示す平面図である。
【００９８】
図１０に示す表示体１０では、第１領域ＲＧ１は、３０００／ｍｍ以上の最大空間周波数で正方格子状に配列した第１凹部を備えている。また、この表示体１０では、第２領域ＲＧ２にパールグラム（登録商標）を設けている。
【００９９】
図１１は、図１０に示す表示体を前面側から照明し且つ前面側から観察した場合に表示される画像の一例を示す平面図である。図１２は、図１０に示す表示体を背面側から照明し且つ前面側から観察した場合に表示される画像の一例を示す平面図である。
【０１００】
この表示体１０を前面側から照明して、これを前面側から観察した場合、表示部ＤＰ１は、黒色又は暗灰色を表示する。また、この観察条件の下では、表示部ＤＰ２は、典型的には白色を表示する。
【０１０１】
この表示体１０を背面側から照明して、これを前面側から観察した場合、表示部ＤＰ１は、典型的には、光源色である白色を表示する。また、この観察条件の下では、表示部ＤＰ２は、典型的には黒色又は暗灰色を表示する。
【０１０２】
このように、図１０及び図１１を参照しながら説明した構成を採用した場合、回折光及び／又は反射光を観察する場合と透過光を観察する場合とで、コントラストが互いに反転した画像を表示させることが可能となる。
【０１０３】
領域ＲＧ１は、複数のサブ領域を備えていてもよい。この場合、これらサブ領域間では、第１凹部又は凸部の配列、空間周波数及び形状等を互いに異ならしめる。また、領域ＲＧ２は、複数のサブ領域を備えていてもよい。この場合、これらサブ領域間では、第２凹部又は凸部の有無、これらの配列、空間周波数及び形状等を互いに異ならしめる。
【０１０４】
図１３は、更なる変形例に係る表示体を概略的に示す平面図である。図１４は、図１３に示す表示体のＸＩＶ−ＸＩＶ線に沿った断面図である。
【０１０５】
図１３及び図１４に示す表示体１０では、第２領域ＲＧ２は、複数の第２凹部又は凸部を備えたサブ領域ＲＧ２Ａと、平坦面からなるサブ領域ＲＧ２Ｂとを備えている。
【０１０６】
サブ領域ＲＧ２Ａは、第１領域ＲＧ１と隣接している。サブ領域ＲＧ２Ｂは、サブ領域ＲＧ２Ａを間に挟んで第１領域ＲＧ１と隣り合っている。また、第３領域ＲＧ３は、サブ領域ＲＧ２Ｂと隣接していると共に、サブ領域ＲＧ２Ｂを間に挟んで第１領域ＲＧ１及びサブ領域ＲＧ２Ａと隣り合っている。この表示体１０のうち、サブ領域ＲＧ２Ａ及びＲＧ２Ｂに対応した部分は、それぞれ、図１３に示す表示部ＤＰ２Ａ及びＤＰ２Ｂである。
【０１０７】
この表示体１０では、領域ＲＧ１及びＲＧ３は、図１乃至図５を参照しながら説明したのと同様の構成を有している。サブ領域ＲＧ２Ａは、図６及び図７を参照しながら説明した第２領域ＲＧ２と同様の構成を有している。そして、サブ領域ＲＧ２Ｂは、図１乃至図５を参照しながら説明した第２領域ＲＧ２と同様の構成を有している。
【０１０８】
図１５は、図１３及び図１４に示す表示体を前面側から照明し且つ前面側から観察した場合に表示される画像の一例を示す平面図である。図１６は、図１３及び図１４に示す表示体を背面側から照明し且つ前面側から観察した場合に表示される画像の一例を示す平面図である。
【０１０９】
この表示体１０の前面をＸ方向に対して垂直な方向から照明し、これをＸ方向に対して垂直な方向から観察すると、図６を参照しながら説明したのと同様の理由により、表示部ＤＰ１とＤＰ２Ａとを互いから判別することは不可能であるか又は極めて困難である。即ち、この観察条件の下では、図１５に示すように、表示部ＤＰ１とＤＰ２Ａとの対比による画像を視認することが不可能であるか又は非常に困難である。また、この観察条件の下では、表示部ＤＰ２Ｂ及びＤＰ３は、それぞれ、図１乃至図５を参照しながら説明した表示部ＤＰ２及びＤＰ３と同様の色を表示する。
【０１１０】
従って、この観察条件の下では、典型的には、表示部ＤＰ１とＤＰ２Ａとは同一又は極めて類似した色を表示し、これら表示部ＤＰ１及びＤＰ２Ａと表示部ＤＰ２Ｂと表示部ＤＰ３とは、互いに異なった色を表示する。それゆえ、図１５に示すように、表示体１０は、表示部ＤＰ２Ｂを背景として、表示部ＤＰ１及びＤＰ２Ａの組み合わせによる画像と表示部ＤＰ３による画像とを表示する。
【０１１１】
この表示体１０を背面側から照明し、これを前面側から観察した場合、先に図１乃至図５を参照しながら説明した表示体の場合と同様に、表示部ＤＰ１及びＤＰ３は、典型的には光源色である白色を表示し、表示部ＤＰ２Ａ及びＤＰ２Ｂは、典型的には黒色又は暗灰色を表示する。従って、この観察条件の下では、表示部ＤＰ１とＤＰ２Ａとの対比による画像を視認することが可能である。具体的には、図１６に示すように、表示体１０は、表示部ＤＰ２Ａ及びＤＰ２Ｂを背景として、表示部ＤＰ１による画像と表示部ＤＰ３による画像とを表示する。
【０１１２】
このように、この表示体１０は、特定の観察条件下で回折光及び／又は反射光を観察する場合には、表示部ＤＰ１及びＤＰ２Ａの組み合わせによる画像と表示部ＤＰ３による画像とを表示する。他方、この表示体１０は、透過光を観察する場合には、表示部ＤＰ１による画像と表示部ＤＰ３による画像とを表示する。
【０１１３】
以上の通り、表示部ＤＰ２が複数の表示部からなる構成を採用すると、表示部ＤＰ２が単一の表示部からなる場合と比較してより複雑な視覚効果を達成し得る。即ち、この表示体１０は、より優れた偽造防止効果を達成し得る。
【０１１４】
なお、図示は省略するが、表示体１０は、第１凹部又は凸部が不規則的に配列しており且つ第２領域ＲＧ２が不規則的に配列した第２凹部又は凸部を備えた構成を有していてもよい。
【０１１５】
この場合、表示体１０を前面側から照明し且つ前面側から観察すると、表示部ＤＰ１及びＤＰ２の各々は、典型的には、散乱光に基づいた色を表示する。即ち、この観察条件の下では、例えば、表示部ＤＰ１及びＤＰ２の双方が白色を表示する。よって、この観察条件の下では、表示部ＤＰ１とＤＰ２Ａとを互いから判別することは不可能であるか又は極めて困難である。
【０１１６】
他方、この場合、表示体１０を背面側から照明し且つ前面側から観察すると、表示部ＤＰ１は、表示部ＤＰ２と比較してより明るい色を表示する。即ち、この観察条件の下では、表示部ＤＰ１とＤＰ２Ａとを互いから判別することが可能である。  
従って、このような構成を採用することによっても、優れた偽造防止効果を達成し得る。
【０１１７】
図１７は、本発明の他の態様に係る表示体の一例を示す断面図である。
【０１１８】
図１７に示す表示体１０は、レリーフ構造形成層１１０を間に挟んで金属又は合金層１２０と向き合った光散乱層１３０を更に備えていることを除いては、図１乃至図５を参照しながら説明した表示体と同様の構成を有している。
【０１１９】
このような構成を採用すると、光散乱層１３０の光散乱性に起因して、表示体１０を前面側から照明して、これを前面側から観察した場合に、表示部ＤＰ１とＤＰ２とを互いから判別することがより困難となる。即ち、こうすると、表示体１０を背面側から照明し、これを前面側から観察した場合に表示される像の存在をより悟られ難くすることができる。従って、このような構成を採用すると、更に優れた偽造防止効果を達成できる。
【０１２０】
光散乱層１３０の材料としては、例えば、酸化チタン粒子等の無機酸化物粒子を樹脂に分散させた白色インキを使用することができる。或いは、光散乱層１３０の材料として、セルロース繊維を使用してもよい。即ち、光散乱層１３０は、紙であってもよい。この場合、光散乱層１３０は、例えば、セルロース繊維と分散媒とを含んだ分散液から分散媒を除去することにより得られる。
【０１２１】
なお、図１７では、光散乱層１３０がレリーフ構造形成層１１０を間に挟んで金属又は合金層１２０と向き合った場合を描いているが、表示体１０における光散乱層１３０の配置はこれに限られない。
【０１２２】
例えば、光散乱層１３０は、金属又は合金層１２０を間に挟んでレリーフ構造形成層１１０と向き合っていてもよい。
【０１２３】
このような構成を採用すると、表示体１０を背面側から照明し且つ背面側から観察した場合に、表示部ＤＰ１とＤＰ２とを互いから判別することがより困難となる。即ち、こうすると、表示体１０を背面側から照明し且つ前面側から観察した場合に表示される像の存在をより悟られ難くすることができる。
【０１２４】
また、このような構成を採用すると、レリーフ構造形成層１１０及び／又は金属又は合金層１２０の表面が露出しないようにできる。レリーフ構造形成層１１０の表面の形状は、通常、金属又は合金層１２０と外界との界面の形状とほぼ等しい。そのため、このような構成を採用することにより、レリーフ構造形成層１１０の一方の主面上に形成された凹構造及び／又は凸構造の複製をより困難とすることができる。
【０１２５】
或いは、光散乱層１３０は、積層体１００の両主面を被覆していてもよい。即ち、表示体１０は、レリーフ構造形成層１１０を間に挟んで金属又は合金層１２０と向き合った第１光散乱層と、金属又は合金層１２０を間に挟んでレリーフ構造形成層１１０と向き合った第２光散乱層とを備えていてもよい。
【０１２６】
このような構成を採用すると、表示体１０を前面側から照明し且つ前面側から観察した場合と、表示体１０を背面側から照明し且つ背面側から観察した場合との双方において、表示部ＤＰ１とＤＰ２とを互いから判別することがより困難となる。即ち、こうすると、表示体１０を背面側から照明し且つ前面側から観察した場合に表示される像の存在を更に悟られ難くすることができる。加えて、こうすると、レリーフ構造形成層１１０の一方の主面上に形成された凹構造及び／又は凸構造の複製をより困難とすることができる。
【０１２７】
以上において説明した表示体１０は、粘着ラベル及び転写箔等の一部として使用してもよい。
【０１２８】
図１８は、本発明の一態様に係る粘着ラベルを概略的に示す断面図である。
【０１２９】
粘着ラベル２０は、表示体１０と、表示体１０上に設けられた粘着層１４０とを備えている。図１８には、一例として、図２に示す表示体１０の背面上に粘着層１４０が設けられている場合を示している。
【０１３０】
粘着層１４０を設けると、レリーフ構造形成層１１０及び／又は金属又は合金層１２０の表面が露出しないようにできる。レリーフ構造形成層１１０の表面の形状は、通常、金属又は合金層１２０と外界との界面の形状とほぼ等しい。そのため、表示体１０を粘着ラベル２０の一部として使用することにより、レリーフ構造形成層１１０の一方の主面上に形成された凹構造及び／又は凸構造の複製をより困難とすることができる。
【０１３１】
粘着層１４０の材料としては、例えば、感圧接着剤を使用する。粘着層１４０は、例えば、この接着剤と溶媒との混合物を、グラビアコート、ロールコート、スクリーンコート及びブレードコート等の方法により塗布することによって形成する。なお、粘着層１４０の厚みは、例えば１μｍ乃至１０μｍの範囲内とする。
【０１３２】
この粘着ラベル２０は、例えば、真正さが確認されるべき物品に貼り付けるか、或いは、そのような物品に取り付けられるべきタグの基材等の他の物品に貼り付ける。これにより、当該物品に偽造防止効果を付与することができる。
【０１３３】
なお、表示体１０と粘着層１４０との間に脆性層を更に設けることにより、粘着ラベル２０に貼替え防止機能を付与することもできる。これにより、更に高い偽造防止効果を達成できる。
【０１３４】
図１９は、本発明の一態様に係る転写箔を概略的に示す断面図である。
【０１３５】
転写箔３０は、表示体１０と、表示体１０を剥離可能に支持した支持体層１５０とを備えている。図９には、一例として、金属又は合金層１２０及び支持体層１５０間に剥離層１６０が設けられ且つレリーフ構造形成層１１０の背面上に接着層１７０が設けられている場合を描いている。
【０１３６】
支持体層１５０は、例えば、樹脂からなるフィルム又はシートである。支持体層１５０の材料としては、例えば、ポリエチレンテレフタレート樹脂、ポリエチレンナフタレート樹脂、ポリイミド樹脂、ポリエチレン樹脂、ポリプロピレン樹脂、又は塩化ビニル樹脂を使用する。
【０１３７】
剥離層１６０は、転写箔３０を被転写体に転写する際の支持体層１５０の剥離を容易にする役割を担っている。剥離層１６０の材料としては、例えば、先にレリーフ構造形成層１１０の材料として挙げた樹脂を使用する。剥離層１６０は、パラフィンワックス、カルナバワックス、ポリエチレンワックス及びシリコーン等の添加剤を更に含んでいてもよい。なお、剥離層１６０の厚みは、例えば０．５μｍ乃至５μｍの範囲内とする。
【０１３８】
接着層１７０の材料としては、例えば、反応硬化型接着剤、溶剤揮散型接着剤、ホットメルト型接着剤、電子線硬化型接着剤及び感熱接着剤等の接着剤を使用する。
【０１３９】
反応硬化性接着剤としては、例えば、ポリエステルウレタン、ポリエーテルウレタン及びアクリルウレタン等のポリウレタン系樹脂、又は、エポキシ樹脂を使用する。
【０１４０】
溶剤揮散型接着剤としては、例えば、酢酸ビニル樹脂、アクリル酸エステル共重合樹脂、エチレン−酢酸ビニル共重合樹脂、アイオノマー樹脂及びウレタン樹脂等を含んだ水性エマルジョン型接着剤、天然ゴム、スチレン−ブタジエン共重合樹脂及びアクリロニトリル−ブタジエン共重合樹脂等を含んだラテックス型接着剤を使用する。
【０１４１】
ホットメルト型接着剤としては、例えば、エチレン−酢酸ビニル共重合樹脂、エチレン−エチルアクリレート共重合樹脂、ポリエステル樹脂、ポリカーボネート樹脂、ポリビニルエーテル樹脂及びポリウレタン樹脂等をベース樹脂として含んだものを使用する。
【０１４２】
電子線硬化型接着剤としては、例えば、アクリロイル基、アリル基及びビニル基等のビニル系官能基を１個又は複数個有したオリゴマーを主成分として含んだものを使用する。例えば、電子線硬化型接着剤として、ポリエステルアクリレート、ポリエステルメタクリレート、エポキシアクリレート、エポキシメタクリレート、ウレタンアクリレート、ウレタンメタクリレート、ポリエーテルアクリレート又はポリエーテルメタクリレートと、接着付与剤との混合物を使用することができる。この接着付与剤としては、例えば、リンを含んだアクリレート若しくはその誘導体、又は、カルボキシ基を含んだアクリレート若しくはその誘導体を使用する。
【０１４３】
感熱接着剤としては、例えば、ポリエステル樹脂、アクリル樹脂、塩化ビニル樹脂、ポリアミド樹脂、ポリ酢酸ビニル樹脂、ゴム系樹脂、エチレン−酢酸ビニル共重合樹脂又は塩化ビニル−酢酸ビニル共重合樹脂を使用する。
【０１４４】
この転写箔３０は、例えば、ロール転写機又はホットスタンプによって、被転写体に転写される。この際、支持体層１５０と剥離層１６０との界面において剥離を生じると共に、表示体１０が、被転写体に、接着層１７０を介して貼付される。
【０１４５】
上述したように、表示体１０は、優れた偽造防止効果を有している。従って、表示体１０を物品に支持させた場合、真正品であるこの表示体付き物品の偽造も困難である。また、この表示体１０は上述した視覚効果を有しているため、真正品であるかが不明の物品を真正品と非真正品との間で判別することも容易である。
【０１４６】
図２０は、表示体付き物品の一例を概略的に示す平面図である。図２０には、表示体付き物品の一例として、印刷物４０を描いている。この印刷物４０は、商品券であって、印刷物本体２００を含んでいる。
【０１４７】
印刷物本体２００は、基材２１０を含んでいる。基材２１０は、例えば、少なくとも表示体１０に対応した部分が光透過性を有している紙である。基材２１０上には、印刷層２２０が形成されている。基材２１０の印刷層２２０が形成された面には、上述した表示体１０が固定されている。表示体１０は、例えば、粘着層又は接着層を介して貼り付けることにより、基材２１０に固定する。図２０には、表示体１０の一例として、図１乃至図９を参照しながら説明した表示体を描いている。
【０１４８】
なお、印刷物４０では、印刷層２２０が形成している印刷パターンの上下方向と表示体１０の上下方向との双方をＹ方向に一致させて、観察者がＸ方向に対して垂直な方向から表示体１０を観察するようにしている。
【０１４９】
印刷物４０は、表示体１０を含んでいるため、その偽造は困難である。また、この印刷物４０は、表示体１０を含んでいるため、真正品であるかが不明の物品を真正品と非真正品との間で判別することも容易である。
【０１５０】
なお、図２０には、表示体１０を含んだ印刷物４０として商品券を例示しているが、表示体１０を含んだ印刷物は、これに限られない。例えば、表示体１０を含んだ印刷物は、株券等の他の有価証券であってもよい。
【０１５１】
或いは、表示体１０を含んだ印刷物は、ＩＤ（identification）カード、磁気カード、無線カード及びＩＣ（integrated circuit）カード等のカードであってもよい。或いは、表示体１０を含んだ印刷物は、真正品であることが確認されるべき物品に取り付けられるべきタグであってもよい。或いは、表示体１０を含んだ印刷物は、真正品であることが確認されるべき物品を収容する包装体又はその一部であってもよい。これらの場合、基材２１０の材料としては、例えば、光透過性を有したプラスチックを使用する。
【０１５２】
図２０に示す印刷物４０では、表示体１０を基材２１０に貼り付けているが、表示体１０は、他の方法で基材２１０に支持させてもよい。
【０１５３】
例えば、基材２１０として紙を使用する場合、表示体１０をこの紙の内部に埋め込んでもよい。例えば、基材２１０として紙を使用する場合、表示体１０をこの紙の内部に漉き込んでもよい。このような構成を採用すると、紙の光散乱性に起因して、表示体１０を前面側から観察した場合における表示部ＤＰ１とＤＰ２との識別がより困難となる。即ち、この場合、基材２１０としての紙は、図１７を参照しながら説明した表示体１０における光散乱層１３０として機能し得る。従って、このような構成を採用すると、特に優れた偽造防止効果を達成できる。また、このような構成を採用すると、表示体１０が基材２１０から脱落し難くなる。
【０１５４】
なお、このような構成を採用する場合、表示体１０としては、典型的には、スレッド状に加工したものを使用する。そして、このスレッド状に加工した表示体１０の金属又は合金層１２０の主面のうちレリーフ構造形成層１１０とは反対側の主面上には、典型的には、上述したホットメルト型接着剤を塗布する。
【０１５５】
表示体１０の紙の内部への埋め込みは、例えば、以下のようにして行う。
【０１５６】
まず、セルロース繊維と分散媒とからなる紙料を準備する。次に、二槽式円網抄紙機を用いて、この紙料を漉いてなる２つの未乾燥の繊維層を作製する。そして、これら２つの繊維層を重ね合わせる際に、これら繊維層の間に上記の表示体１０を送り出す。その後、２つの繊維層と、それらの間に介在した表示体１０との積層構造を乾燥処理に供する。次いで、必要に応じて裁断を行う。このようにして、内部に表示体１０が埋め込まれた紙を得る。
【０１５７】
或いは、表示体１０の紙の内部への埋め込みは、以下のようにして行ってもよい。
【０１５８】
例えば、この埋め込みは、長網抄紙機を用いて行ってもよい。具体的には、まず、セルロース繊維と分散媒とからなる紙料の流れの中に、分散媒中に分散させた上記の表示体１０をノズルを介して導入する。このようにして、抄紙網上に形成される紙匹中に表示体１０を埋め込む。その後、これを乾燥処理に供する。次いで、必要に応じて裁断を行う。このようにして、内部に表示体１０が埋め込まれた紙を得る。
【０１５９】
基材２１０として紙を使用する場合、この紙は、表示体１０に対応した位置の全体又は一部において開口させてもよい。
【０１６０】
図２１は、表示体付き物品の他の例を概略的に示す平面図である。
【０１６１】
図２１に示す表示体付き物品は印刷物４０であり、その基材２１０は紙からなる。そして、この紙の内部には、表示体１０が埋め込まれている。加えて、この紙の表示体１０に対応した位置の一部には、開口ＡＰが設けられている。即ち、これら開口ＡＰの各々において、表示体１０の一部が外界に露出している。なお、図２１には、表示体１０の一例として、図１０乃至図１２を参照しながら説明した表示体を描いている。
【０１６２】
このような構成を採用すると、印刷物４０を表示体１０の前面側から照明し且つ前面側から観察した際に、以下のような視覚効果が得られる。即ち、表示部ＤＰ１のうち紙の内部に埋め込まれている部分は、紙の光散乱性に起因して、表示部ＤＰ１のうち開口ＡＰにおいて外界に露出している部分と比較してより視認し難くなる。他方、表示部ＤＰ１のうち開口ＡＰにおいて外界に露出している部分は、表示体１０が外界に露出している場合と同様の視認性を有している。加えて、このような構成を採用すると、表示体１０が基材２１０から脱落し難くなる。
【０１６３】
基材２１０の材料としては、紙以外の材料を使用してもよい。例えば、この材料として、少なくとも表示体１０に対応した部分が光透過性を有している樹脂を使用してもよい。この場合、表示体１０は、基材２１０の内部に埋め込んでもよい。或いは、基材２１０の少なくとも表示体１０に対応した部分の光散乱性が小さい場合、例えばこの部分が透明である場合、基材２１０の裏面、即ち印刷層２２０が設けられている面とは反対側の面に表示体１０を固定してもよい。
【０１６４】
表示体付き物品は、印刷物でなくてもよい。即ち、印刷層を含んでいない物品に表示体１０を支持させてもよい。
【０１６５】
表示体１０は、偽造防止以外の目的で使用してもよい。例えば、表示体１０は、玩具、学習教材又は装飾品としても使用することができる。
【実施例】
【０１６６】
＜例１：表示体Ｄ１の製造＞
図１乃至図５を参照しながら説明した表示体１０を、以下のようにして製造した。
【０１６７】
まず、ＰＥＴフィルム上に、紫外線硬化樹脂を塗布した。次いで、版面に複数の凸部が設けられた原版を先の塗膜に押し当てながら、ＰＥＴフィルム側から紫外線を照射することにより、紫外線硬化樹脂を硬化させた。その後、原版を取り除いた。このようにして、レリーフ構造形成層１１０を得た。
【０１６８】
このレリーフ構造形成層１１０では、第１領域ＲＧ１に、正方格子状に配列した複数の第１凹部を設けた。これら第１凹部の形状は、回転放物面形状とした。これら第１凹部の最大空間周波数は１０００／ｍｍとした。そして、これら第１凹部の深さＤR1は３００ｎｍとした。なお、第２領域ＲＧ２は、平坦面とした。
【０１６９】
次に、レリーフ構造形成層１１０の領域ＲＧ１及びＲＧ２が設けられた主面上に、アルミニウムを蒸着法により堆積させた。この際、設定膜厚は、５０ｎｍとした。その後、得られた堆積層のうち領域ＲＧ１及びＲＧ２に対応した部分の上に、マスク層を形成した。次いで、水酸化ナトリウムの水溶液を用いてエッチング処理を行った。このようにして、レリーフ構造形成層１１０の領域ＲＧ１及びＲＧ２上に、アルミニウムからなる金属層１２０を形成した。
【０１７０】
以上のようにして、表示体１０を得た。以下、この表示体を「表示体Ｄ１」と呼ぶ。
【０１７１】
＜例２：表示体Ｄ２の製造＞
第１凹部の最大空間周波数を１５００／ｍｍとしたこと以外は、表示体Ｄ１と同様にして、表示体を製造した。以下、この表示体を「表示体Ｄ２」と呼ぶ。
【０１７２】
＜例３：表示体Ｄ３の製造＞
第１凹部の最大空間周波数を２０００／ｍｍとしたこと以外は、表示体Ｄ１と同様にして、表示体を製造した。以下、この表示体を「表示体Ｄ３」と呼ぶ。
【０１７３】
＜例４：表示体Ｄ４の製造＞
第１凹部の最大空間周波数を３０００／ｍｍとしたこと以外は、表示体Ｄ１と同様にして、表示体を製造した。以下、この表示体を「表示体Ｄ４」と呼ぶ。
【０１７４】
＜例５：表示体Ｄ５の製造＞
第１凹部の最大空間周波数を４０００／ｍｍとしたこと以外は、表示体Ｄ１と同様にして、表示体を製造した。以下、この表示体を「表示体Ｄ５」と呼ぶ。
【０１７５】
＜例６：表示体Ｄ６の製造＞
第１凹部の最大空間周波数を５０００／ｍｍとしたこと以外は、表示体Ｄ１と同様にして、表示体を製造した。以下、この表示体を「表示体Ｄ６」と呼ぶ。
【０１７６】
＜例７：表示体Ｄ７の製造＞
第１凹部の配列を矩形格子状とし、その最大空間周波数（以下、空間周波数ＳＦ１という）を１５００／ｍｍとし、その２番目に大きな空間周波数、即ち最大空間周波数に対応した配列方向に垂直な方向に沿った空間周波数（以下、空間周波数ＳＦ２という）を１０００／ｍｍとしたこと以外は、表示体Ｄ１と同様にして、表示体を製造した。以下、この表示体を「表示体Ｄ７」と呼ぶ。
【０１７７】
＜例８：表示体Ｄ８の製造＞
空間周波数ＳＦ１を２０００／ｍｍとしたこと以外は、表示体Ｄ７と同様にして、表示体を製造した。以下、この表示体を「表示体Ｄ８」と呼ぶ。
【０１７８】
＜例９：表示体Ｄ９の製造＞
空間周波数ＳＦ１を３０００／ｍｍとしたこと以外は、表示体Ｄ７と同様にして、表示体を製造した。以下、この表示体を「表示体Ｄ９」と呼ぶ。
【０１７９】
＜例１０：表示体Ｄ１０の製造＞
空間周波数ＳＦ１を４０００／ｍｍとしたこと以外は、表示体Ｄ７と同様にして、表示体を製造した。以下、この表示体を「表示体Ｄ１０」と呼ぶ。
【０１８０】
＜例１１：表示体Ｄ１１の製造＞
空間周波数ＳＦ１を２０００／ｍｍとすると共に、空間周波数ＳＦ２を１５００／ｍｍとしたこと以外は、表示体Ｄ７と同様にして、表示体を製造した。以下、この表示体を「表示体Ｄ１１」と呼ぶ。
【０１８１】
＜例１２：表示体Ｄ１２の製造＞
空間周波数ＳＦ１を３０００／ｍｍとしたこと以外は、表示体Ｄ１１と同様にして、表示体を製造した。以下、この表示体を「表示体Ｄ１２」と呼ぶ。
【０１８２】
＜例１３：表示体Ｄ１３の製造＞
空間周波数ＳＦ１を４０００／ｍｍとしたこと以外は、表示体Ｄ１１と同様にして、表示体を製造した。以下、この表示体を「表示体Ｄ１３」と呼ぶ。
【０１８３】
＜例１４：表示体Ｄ１４の製造＞
空間周波数ＳＦ１を３０００／ｍｍとすると共に、空間周波数ＳＦ２を２０００／ｍｍとしたこと以外は、表示体Ｄ７と同様にして、表示体を製造した。以下、この表示体を「表示体Ｄ１４」と呼ぶ。
【０１８４】
＜例１５：表示体Ｄ１５の製造＞
空間周波数ＳＦ１を４０００／ｍｍとしたこと以外は、表示体Ｄ１４と同様にして、表示体を製造した。以下、この表示体を「表示体Ｄ１５」と呼ぶ。
【０１８５】
＜例１６：表示体Ｄ１６の製造＞
空間周波数ＳＦ２を３０００／ｍｍとしたこと以外は、表示体Ｄ１５と同様にして、表示体を製造した。以下、この表示体を「表示体Ｄ１６」と呼ぶ。
【０１８６】
＜例１７：表示体Ｄ１７の製造＞
第１領域ＲＧ１が規則的に配列した複数の第１溝を備えた構成を採用し、その最大空間周波数を５０００／ｍｍとし、その深さＤG1を３００ｎｍとしたこと以外は、表示体Ｄ１と同様にして、表示体を製造した。以下、この表示体を「表示体Ｄ１７」と呼ぶ。
【０１８７】
＜例１８：表示体Ｄ１８の製造＞
第１溝の空間周波数を５５００／ｍｍとしたこと以外は、表示体Ｄ１７と同様にして、表示体を製造した。以下、この表示体を「表示体Ｄ１８」と呼ぶ。
【０１８８】
＜例１９：表示体Ｄ１９の製造＞
第１溝の空間周波数を６０００／ｍｍとしたこと以外は、表示体Ｄ１７と同様にして、表示体を製造した。以下、この表示体を「表示体Ｄ１９」と呼ぶ。
【０１８９】
＜空間周波数とコントラストとの関係＞
複数の第１凹部又は凸部の空間周波数と、表示体１０を背面側から照明し且つ前面側から観察した場合の表示部ＤＰ１及びＤＰ２のコントラストとの間の関係を調べた。具体的には、表示体Ｄ１乃至Ｄ１９の各々の背面を白色光で照明し、これら表示体を前面側から観察した場合のコントラストを評価した。その結果を表１に示す。
【表１】
2010271653.tif 000003
【０１９０】
表１には、上記のコントラストを「◎」、「○」、「△」及び「×」の４段階で評価した結果を示している。ここで「◎」は上記のコントラストが極めて明瞭であることを意味し、「○」は上記のコントラストが明瞭であることを意味し、「△」は上記のコントラストが明瞭ではないが認識可能であることを意味し、「×」は上記のコントラストが認識不可能であることを意味している。
【０１９１】
表１に示す結果から分かるように、表示体Ｄ１乃至Ｄ１９の全てにおいて、上記のコントラストが認識可能であった。特に、表示体Ｄ２乃至Ｄ５は、表示体Ｄ１及びＤ６と比較して、上記のコントラストがより明瞭であった。また、表示体Ｄ２乃至Ｄ４は、表示体Ｄ５と比較して、上記のコントラストがより明瞭であった。そして、表示体Ｄ１１、Ｄ１２及びＤ１４は、表示体Ｄ７乃至Ｄ１０、Ｄ１３、Ｄ１５及びＤ１６と比較して、上記のコントラストがより明瞭であった。また、表示体Ｄ１８及びＤ１９は、表示体Ｄ１７と比較して、上記のコントラストがより明瞭であった。
【０１９２】
＜例２０：表示体Ｄ２０の製造＞
第１凹部の最大空間周波数を２５００／ｍｍとしたこと以外は、表示体Ｄ１と同様にして、表示体を製造した。以下、この表示体を「表示体Ｄ２０」と呼ぶ。
【０１９３】
＜例２１：表示体Ｄ２１の製造＞
アルミニウムの設定膜厚を２０ｎｍとしたこと以外は、表示体Ｄ２０と同様にして、表示体を製造した。以下、この表示体を「表示体Ｄ２１」と呼ぶ。
【０１９４】
＜例２２：表示体Ｄ２２の製造＞
アルミニウムの設定膜厚を３０ｎｍとしたこと以外は、表示体Ｄ２０と同様にして、表示体を製造した。以下、この表示体を「表示体Ｄ２２」と呼ぶ。
【０１９５】
＜例２３：表示体Ｄ２３の製造＞
アルミニウムの設定膜厚を４０ｎｍとしたこと以外は、表示体Ｄ２０と同様にして、表示体を製造した。以下、この表示体を「表示体Ｄ２３」と呼ぶ。
【０１９６】
＜例２４：表示体Ｄ２４の製造＞
アルミニウムの設定膜厚を６０ｎｍとしたこと以外は、表示体Ｄ２０と同様にして、表示体を製造した。以下、この表示体を「表示体Ｄ２４」と呼ぶ。
【０１９７】
＜例２５：表示体Ｄ２５の製造＞
アルミニウムの設定膜厚を７０ｎｍとしたこと以外は、表示体Ｄ２０と同様にして、表示体を製造した。以下、この表示体を「表示体Ｄ２５」と呼ぶ。
【０１９８】
＜例２６：表示体Ｄ２６の製造＞
アルミニウムの設定膜厚を８０ｎｍとしたこと以外は、表示体Ｄ２０と同様にして、表示体を製造した。以下、この表示体を「表示体Ｄ２６」と呼ぶ。
【０１９９】
＜例２７：表示体Ｄ２７の製造＞
アルミニウムの設定膜厚を９０ｎｍとしたこと以外は、表示体Ｄ２０と同様にして、表示体を製造した。以下、この表示体を「表示体Ｄ２７」と呼ぶ。
【０２００】
＜例２８：表示体Ｄ２８の製造＞
アルミニウムの設定膜厚を１００ｎｍとしたこと以外は、表示体Ｄ２０と同様にして、表示体を製造した。以下、この表示体を「表示体Ｄ２８」と呼ぶ。
【０２０１】
＜設定膜厚とコントラストとの関係＞
金属又は合金層１２０の設定膜厚と、表示体１０を背面側から照明し且つ前面側から観察した場合の表示部ＤＰ１及びＤＰ２のコントラストとの間の関係を調べた。具体的には、Ｄ２０乃至Ｄ２８の各々の背面を白色光で照明し、これら表示体を前面側から観察した場合のコントラストを評価した。その結果を表２に示す。
【表２】
2010271653.tif 000004
【０２０２】
表２には、上記のコントラストを「◎」、「○」、「△」及び「×」の４段階で評価した結果を示している。これら記号の意味は、先に表１について述べたのと同様である。
【０２０３】
表２から分かるように、表示体Ｄ２０乃至Ｄ２８の全てにおいて、上記のコントラストが認識可能であった。特に、表示体Ｄ２０及びＤ２２乃至Ｄ２６は、表示体Ｄ２１、Ｄ２７及びＤ２８と比較して、上記のコントラストがより明瞭であった。
【０２０４】
＜例２９：表示体Ｄ２９の製造＞
第２領域ＲＧ２に規則的に配列した複数の第２溝を設けたことを除いては、表示体Ｄ４と同様の表示体を製造した。以下、この表示体を「表示体Ｄ２９」と呼ぶ。
【０２０５】
この表示体Ｄ２９では、第２溝の空間周波数は３０００／ｍｍとした。即ち、第２溝の空間周波数と第１凹部の最大空間周波数とを一致させた。また、第２溝の空間周波数に対応した配列方向をＹ方向とし、第１凹部の最大空間周波数に対応した配列方向もＹ方向とした。即ち、第２溝の空間周波数に対応した配列方向と第１凹部の最大空間周波数に対応した配列方向とを一致させた。そして、第２溝の深さＤG2は、第１凹部の深さＤR1と一致させた。
【０２０６】
＜第１及び第２領域の構造とコントラストとの関係＞
第１及び第２領域の構造と、表示体１０を前面側及び背面側から照明し且つ前面側から観察した場合の表示部ＤＰ１及びＤＰ２のコントラストとの間の関係を調べた。具体的には、表示体Ｄ４及びＤ２９の各々の前面及び背面を白色光で照明し、これら表示体を前面側から観察した場合のコントラストを評価した。
【０２０７】
まず、表示体Ｄ４及びＤ２９を前面側から照明し、これらを前面側から観察した。より具体的には、表示体Ｄ４及びＤ２９の前面をＸ方向に対して垂直な方向から照明し、これら表示体をＸ方向に対して垂直な方向から観察した。その結果、表示体Ｄ２９では、表示体Ｄ４と比較して、表示部ＤＰ１及びＤＰ２のコントラストがより不明瞭であり、表示部ＤＰ１とＤＰ２との間の識別がより困難であった。
【０２０８】
次に、表示体Ｄ４及びＤ２９を背面側から照明し、これらを前面側から観察した。その結果、表示体Ｄ２９は、表示体Ｄ４と比較して、表示部ＤＰ１及びＤＰ２のコントラストがやや不明瞭であった。しかしながら、この観察条件の下では、表示体Ｄ２９においても、表示部ＤＰ１とＤＰ２とのコントラストを十分に認識することができた。即ち、この観察条件の下では、表示体Ｄ２９においても、表示部ＤＰ１とＤＰ２とを互いから識別することができた。
【符号の説明】
【０２０９】
１０…表示体、２０…粘着ラベル、３０…転写箔、４０…印刷物、１００…積層体、１１０…レリーフ構造形成層、１２０…金属又は合金層、１３０…光散乱層、１４０…粘着層、１５０…支持体層、１６０…剥離層、１７０…接着層、２００…印刷物本体、２１０…基材、２２０…印刷層、ＡＰ…開口、ＤＰ１…表示部、ＤＰ２…表示部、ＤＰ２Ａ…表示部、ＤＰ２Ｂ…表示部、ＤＰ３…表示部、ＲＧ１…第１領域、ＲＧ２…第２領域、ＲＧ２Ａ…サブ領域、ＲＧ２Ｂ…サブ領域、ＲＧ３…第３領域。
【図１】
2010271653.tif 000005
【図２】
2010271653.tif 000006
【図３】
2010271653.tif 000007
【図４】
2010271653.tif 000008
【図５】
2010271653.tif 000009
【図６】
2010271653.tif 000010
【図７】
2010271653.tif 000011
【図８】
2010271653.tif 000012
【図９】
2010271653.tif 000013
【図１０】
2010271653.tif 000014
【図１１】
2010271653.tif 000015
【図１２】
2010271653.tif 000016
【図１３】
2010271653.tif 000017
【図１４】
2010271653.tif 000018
【図１５】
2010271653.tif 000019
【図１６】
2010271653.tif 000020
【図１７】
2010271653.tif 000021
【図１８】
2010271653.tif 000022
【図１９】
2010271653.tif 000023
【図２０】
2010271653.tif 000024
【図２１】
2010271653.tif 000025